(57)【要約】【課題】ガス導管周りに従来どおりのエアモルタルを充填しながらも地山からの融水がこのエアモルタルと接触にないようにし、ガス導管トンネルに沿って移行する湧水の高アルカリ化を抑えて、環境基準をクリアする状態でこの湧水を放流できるようにする。【解決手段】掘削されたトンネル坑１の側面から天面にかけて配置した矢板２をトンネル内方側から略Ｕ字形状の鋼製支保工３により支持してなるガス導管トンネルにガス導管８を配管し、該ガス導管８の周りにエアモルタル９を充填するに際して、エアモルタル９の充填前に、トンネル坑１の底面から少なくとも地下水位より上位となる位置までのガス導管トンネルの内面に防水シート６を設け、この後８にガス導管の周りにエアモルタル９を充填した。【選択図】  図１
2005325930.tif 000002
【特許請求の範囲】
【請求項１】
トンネル内にガス導管を配管し、該ガス導管の周りにエアモルタルを充填するガス導管トンネルの施工方法において、エアモルタルの充填前に、トンネル坑の底面から少なくとも地下水位より上位となる位置までのガス導管トンネルの内面に防水シートを設け、この後にガス導管の周りにエアモルタルを充填することを特徴とするガス導管トンネルの施工方法。
【発明の詳細な説明】
【技術分野】
【０００１】
本発明はガス導管トンネルの施工方法に関するものである。
【背景技術】
【０００２】
従来、地中に管路を形成する場合、例えば下水路の形成に際して樹脂製パイプを用いたものがあり、地中に貫設したトンネルの内壁部に鋼製セグメントを設け、この鋼製セグメントに囲まれた空間内部の所定位置に前記樹脂製パイプを配置してその周りにエアモルタルを充填する手法が提案されている（特許文献１参照）。
【特許文献１】特開平０８−１１３９７７号公報（段落番号０００２）
【発明の開示】
【発明が解決しようとする課題】
【０００３】
また、ガス導管トンネル工事では、ガス導管設置の後にそのガス導管の周りにエアモルタルを充填することが行われている。この場合、単にエアモルタルを充填するだけでは、ガス導管トンネルの周囲でエアモルタルに地山からの湧水が接触する可能性がある。また、エアモルタルには透水性があるため、湧水がエアモルタル中を透過してガス導管トンネルに沿った湧水の移行が発生する場合もある。エアモルタルと接触或いは透過してきた湧水は、高ｐＨ（ｐＨ１１〜１２）になっている場合があり、ガス導管トンネルの工事完成後、このトンネル内を移行する湧水をそのまま放流することは、環境基準の面から好ましくないものである。
【０００４】
これまでのガス導管（一般的にφ６００ｍｍ〜φ８００ｍｍ）の配設は都市域でのシールドトンネルが主であるので上述の点は問題とされないが、今後は国内で長距離ガスパイプラインのネットワーク化が計画される場合、山岳部のトンネルにガス導管の敷設が行われることが考えられる。その際には、工事完成後の環境問題にも対策を施す必要がある。この対策としては充填モルタルに低アルカリセメントを用いることが考えられるが、低アルカリセメントは生産量が少なく高価である。また、低アルカリセメントを使っても放流基準（ｐＨ８．６）まで下がらないという問題がある。
そこで本発明は上記事情に鑑み、ガス導管周りに従来通りのエアモルタルを充填しながらも地山からの湧水がこのエアモルタルと接触しないようにすることを課題とし、ガス導管トンネルに沿って移行する湧水の高アルカリ化を抑えて、環境基準をクリアする状態でこの湧水を放流できるようにすることを目的とする。
【課題を解決するための手段】
【０００５】
本発明は上記課題を考慮してなされたもので、トンネル内にガス導管を配管し、該ガス導管の周りにエアモルタルを充填するガス導管トンネルの施工方法において、エアモルタルの充填前に、トンネル坑の底面から少なくとも地下水位より上位となる位置までのガス導管トンネルの内面に防水シートを設け、この後にガス導管の周りにエアモルタルを充填することを特徴とするガス導管トンネルの施工方法を提供して、上記課題を解消するものである。
【発明の効果】
【０００６】
本発明によれば、ガス導管トンネルの底面から地下水位より上位まで防水シートがそのガス導管トンネルの内面側に設けられているので、かつ導管周りに充填したエアモルタルと地山からの湧水とが接触せず、その湧水が高アルカリ化されない。よって、ガス導管トンネルに沿って移行する湧水をそのまま放流しても環境に悪影響を与えることがない。そして、高価な低アルカリセメントを用いる必要がないため、安価に施工できるなど優れた効果を奏するものである。
【発明を実施するための最良の形態】
【０００７】
つぎに本発明を図１と図２に示す実施の形態に基づいて説明する。
掘削したトンネル坑１においてトンネル坑１の底面より地下水位が下がっていて、底面側からのみ湧水があると考えられる場合には、トンネル坑１の側面から天面にかけて配置したキーストンプレートなどの矢板２をトンネル内方側から略Ｕ字形状の鋼製支保工３により支持し、その後、トンネル坑１の底面に湧水を流す排水管４を配置してこれを覆うように砕石５を敷く。そしてこの上に防水シート６を敷き、この防水シート６を覆うように底面のコンクリート７を打設して底面を仕上げる。
この後、ガス導管８を所定位置に配管して固定してから、このガス導管８の周りにエアモルタル９を充填する。これによってガス導管トンネルが完成するものであり、湧水とエアモルタルとは前記防水シート６によって接触しないようになり、そのまま排水管４に湧水が集められて外界へと流れ出るようになる。
【０００８】
図２はトンネル坑１の底面より地下水位が高い場合の施工を示すものである。このように地下水位がトンネル坑１の底面より高い場合、予め、トンネル坑１の天面や側面に設置された矢板とトンネル坑１との間に低アルカリセメントを使用したモルタル１０を吹き付けなどで充填する。そして、上述の底面形成に際して砕石５の上に防水シート６を敷かずにコンクリート７を打設する。この後、コンクリート７の上面とトンネル坑１の支持構造部分（即ち矢板と鋼製支保工）をトンネル内方側から覆うようにして全面に防水シート６を設ける。この防水シート６にて全面を覆った後、ガス導管８を所定位置に取付固定し、その周りにエアモルタル９を充填することでガス導管トンネルが完成する。この場合も地山からの湧水がエアモルタル９に接触せず、高アルカリ化することなく排水管４に集められて外界へ排出される。なお、トンネル坑の側面側と天面側とに防水シートを位置させる場合、トンネル工事における通常のＮＡＴＭ工法（ＮＡＴＭ工法：吹付けコンクリートとロックボルト等を主な支保部材とし、地山が持つ固有の強度を利用し、地山によってトンネルを安定に支持させる工法）などで採用する構成部材（支保工、吹付けコンクリート、ロックボルト）を利用して、例えば吹付けコンクリート壁面に所定間隔で取り付けた熱溶着ディスクを電磁誘導で加熱して、防水シートを前記ディスクに溶着する方法がある。
【図面の簡単な説明】
【０００９】
【図１】本発明において底面に防水シートを設けた例を示す説明図である。
【図２】本発明において内面全周に防水シートを設けた例を示す説明図である。
【符号の説明】
【００１０】
１…トンネル坑
２…矢板
３…鋼製支保工
４…排水管
５…砕石
６…防水シート
７…コンクリート
８…ガス導管
９…エアモルタル
１０…モルタル
【図１】
2005325930.tif 000003
【図２】
2005325930.tif 000004